(57)【要約】【課題】  複数枚の畳を敷き詰めて簡易な和室を造るときに使用できる分解と持ち運びの容易な簡易和室用畳枠を提供すること。【解決手段】  複数枚の畳を互いに密接して方形に配置した簡易和室用畳の全外周縁にあてがって固定するための複数本の枠部材と、これらの枠部材を互いに順次連結する連結具とを具備し、前記連結具は、互いに連結される一方の枠部材の連結面に形成されるほぞと、他方の枠部材の連結面に形成され、前記ほぞと係脱自在に連結するほぞ穴とからなる簡易和室用畳枠で、連結具を構成するほぞは、枠部材と別体に構成するだけでなく、枠部材をプラスチックやアルミニウムなどで成型するときに一体に構成することもできる。【選択図】  図１
0003116202.tif 000002
【実用新案登録請求の範囲】
【請求項１】
複数枚の畳を互いに密接して方形に配置した簡易和室用畳の全外周縁にあてがって固定するための複数本の枠部材と、これらの枠部材を互いに順次連結する連結具とを具備し、前記連結具は、互いに連結される一方の枠部材の連結面に形成されるほぞと、他方の枠部材の連結面に形成され、前記ほぞと係脱自在に連結するほぞ穴とからなることを特徴とする簡易和室用畳枠。
【請求項２】
複数枚の畳を互いに密接して方形に配置した簡易和室用畳の全外周縁にあてがって固定するための４本の枠部材と、これらの枠部材を互いに順次連結する連結具とを具備し、前記連結具は、互いに連結される一方の枠部材の連結面に穿設されたほぞ取付け穴に基端部を圧入固着し、先端部を外方へ突出させた棒状のほぞと、他方の枠部材の連結面に穿設されたほぞ穴の内部に固着され、前記ほぞの先端突出部を係脱自在に嵌合連結するほぞ受け筒とからなることを特徴とする簡易和室用畳枠。
【請求項３】
複数枚の畳を互いに密接して方形に配置した簡易和室用畳の全外周縁にあてがって固定するための４本の枠部材と、これらの枠部材を互いに順次連結する連結具とを具備し、前記連結具は、互いに連結される一方の枠部材の連結面に穿設されたほぞ取付け穴に基端部を圧入固着し、先端部を外方へ突出させた棒状のほぞと、他方の枠部材の連結面に穿設されたほぞ穴の内部に固着され、前記ほぞの先端突出部を係脱自在に嵌合連結するほぞ受け筒とからなり、前記ほぞは、弾性材料からなり、先端近くの外周に係止用膨出部を形成するとともに、先端から先端突出部の途中までスリットを形成し、前記ほぞ受け筒の内壁部に前記ほぞの嵌合時に係止用膨出部と弾性をもって係合する係止溝を形成したことを特徴とする簡易和室用畳枠。
【請求項４】
複数枚の畳を互いに密接して方形に配置した簡易和室用畳の全外周縁にあてがって固定するための弾性を有する４本の枠部材と、これらの枠部材を互いに順次連結する連結具とを具備し、前記連結具は、互いに連結される一方の枠部材の連結面に、先端突出部を枠部材と一体に外方へ突出させて形成した棒状のほぞと、他方の枠部材の連結面に穿設され前記ほぞの先端突出部を係脱自在に嵌合連結するほぞ穴とからなり、前記ほぞは、先端近くの外周に係止用膨出部を形成するとともに、先端から先端突出部の途中までスリットを形成し、前記ほぞ穴の内壁部に前記ほぞの嵌合時に係止用膨出部と弾性をもって係合する係止溝を形成したことを特徴とする簡易和室用畳枠。
【請求項５】
４本の枠部材のうちのいずれかの枠部材を長さ方向に複数本に分割し、分割された端面間をヒンジで屈折可能に連結したことを特徴とする請求項１、２、３又は４記載の簡易和室用畳枠。
【請求項６】
簡易和室用畳は、縦と横の長さの等しい畳を複数枚組み合わせて互いに密接して方形に配置し、この簡易和室用畳の全周囲を固定するようにしたことを特徴とする請求項１、２、３、４又は５記載の簡易和室用畳枠。
【請求項７】
簡易和室用畳は、縦と横の長さの等しい畳と縦と横の長さの異なる畳とを複数枚組み合わせて互いに密接して方形に配置し、この簡易和室用畳の全周囲を固定するようにしたことを特徴とする請求項１、２、３、４又は５記載の簡易和室用畳枠。
【考案の詳細な説明】
【技術分野】
【０００１】
本考案は、板の間、フローリング床、じゅうたんを敷いた洋室等の室内のみならず、室外の平坦な場所に複数枚の畳を敷き詰めて簡易な和室を造るときに使用できる分解と持ち運びの容易な簡易和室用畳枠に関するものである。
【背景技術】
【０００２】
畳は、特有の香り、断熱性、弾力性、蝕感性等に優れ、正座したり、横になったりするときに極めて好ましい敷物である。室内のみならず、室外で野立てをしたりするとき等にも欠かすことができない。
【０００３】
このようなときに使用される分解と持ち運びの容易なユニット畳とその連結具がすでに提案されている（特許文献１）。
これは、畳の裏面の角隅部分に第１の面ファスナを取り付けておく。また、数１０ｃｍ角の薄板状連結板の上に第２の面ファスナを隣接する畳の枚数分だけ取り付けておき、この連結板を複数枚の畳が１点に集中して接合する部分に配置し、畳を載せて第１の面ファスナと第２の面ファスナとを結合させて畳のずれを防止しようとするものである。
【特許文献１】特開平７−２５９３０５号公報
【考案の開示】
【考案が解決しようとする課題】
【０００４】
上記従来方法では、複数枚の畳を相互に連結するものであるから、１枚ずつ順次畳を連結して行くため、途中で合わなくなったりして畳同士をぴったりと隙間なく連結する操作が面倒で、また、連結した後で畳の位置を移動しようとすると連結したすべての畳を一体に移動しなければならないので連結部分が外れたり、使用中に位置ずれを生じて隙間が生じたりする。また、連結具を畳の裏側に取り付けるので、畳に盛り上がりが生じ、これを防ぐために連結具以外に補助スペーサを用意しなければならない、などの問題点があった。
本考案は、板の間などの室内のみならず、室外の平坦な場所に複数枚の畳を敷き詰めて簡易な和室を造るときに使用できる分解と持ち運びの容易な簡易和室用畳枠を提供することを目的とするものである。
【課題を解決するための手段】
【０００５】
本考案は、複数枚の畳を互いに密接して方形に配置した簡易和室用畳の全外周縁にあてがって固定するための４本の枠部材と、これらの枠部材を互いに順次連結する連結具とを具備し、前記連結具は、互いに連結される一方の枠部材の連結面に穿設されたほぞ取付け穴に基端部を圧入固着し、先端部を外方へ突出させた棒状のほぞと、他方の枠部材の連結面に穿設されたほぞ穴の内部に固着され、前記ほぞの先端突出部を係脱自在に嵌合連結するほぞ受け筒とからなり、前記ほぞは、弾性材料からなり、先端近くの外周に係止用膨出部を形成するとともに、先端から先端突出部の途中までスリットを形成し、前記ほぞ受け筒の内壁部に前記ほぞの嵌合時に係止用膨出部と弾性をもって係合する係止溝を形成したことを特徴とする簡易和室用畳枠である。
【０００６】
連結具を構成するほぞは、枠部材と別体に構成するだけでなく、枠部材をプラスチックやアルミニウムなどで成型するときに一体に構成するようにしてもよい。
【考案の効果】
【０００７】
請求項１記載の考案によれば、複数枚の畳を互いに密接して方形に配置した簡易和室用畳の全外周縁にあてがって固定するための複数本の枠部材と、これらの枠部材を互いに順次連結する連結具とを具備し、前記連結具は、互いに連結される一方の枠部材の連結面に形成されるほぞと、他方の枠部材の連結面に形成され、前記ほぞと係脱自在に連結するほぞ穴とで構成したので、分割可能な簡易和室用畳枠によって、いつでもどこでも簡易和室を構成できる。複数枚の畳は相互に連結せずに、畳枠で固定するため、途中で畳同士が合わなくなったりせず、常に畳同士がぴったりと隙間なく連結する。また、畳同士を連結する操作がない。固定した後で畳の位置を移動しようとするときは、畳枠を移動するだけですべての畳が一体に移動できる。下面に滑り止め材を貼り付ければ、使用中に位置ずれを生じて隙間が生じたりすることがない。また、連結具は、畳枠の連結端面に取り付けるので、畳に盛り上がりが生じたりすることがない。
【０００８】
請求項２記載の考案によれば、複数枚の畳を互いに密接して方形に配置した簡易和室用畳の全外周縁にあてがって固定するための４本の枠部材と、これらの枠部材を互いに順次連結する連結具とを具備し、前記連結具は、互いに連結される一方の枠部材の連結面に穿設されたほぞ取付け穴に基端部を圧入固着し、先端部を外方へ突出させた棒状のほぞと、他方の枠部材の連結面に穿設されたほぞ穴の内部に固着され、前記ほぞの先端突出部を係脱自在に嵌合連結するほぞ受け筒とで構成したので、畳枠の組み立てがいずれか一方の枠部材の端部に形成した連結具のほぞを他方の枠部材の端部に形成したほぞ受け筒に嵌合するだけで簡単にしかも確実に畳を保持できる。また、連結具を構成する棒状のほぞとほぞ受け筒は、枠部材とは別体で構成するので、寸法が正確になり、係脱を繰り返しても確実に保持できる。
【０００９】
請求項３記載の考案によれば、複数枚の畳を互いに密接して方形に配置した簡易和室用畳の全外周縁にあてがって固定するための４本の枠部材と、これらの枠部材を互いに順次連結する連結具とを具備し、前記連結具は、互いに連結される一方の枠部材の連結面に穿設されたほぞ取付け穴に基端部を圧入固着し、先端部を外方へ突出させた棒状のほぞと、他方の枠部材の連結面に穿設されたほぞ穴の内部に固着され、前記ほぞの先端突出部を係脱自在に嵌合連結するほぞ受け筒とからなり、前記ほぞは、弾性材料からなり、先端近くの外周に係止用膨出部を形成するとともに、先端から先端突出部の途中までスリットを形成し、前記ほぞ受け筒の内壁部に前記ほぞの嵌合時に係止用膨出部と弾性をもって係合する係止溝を形成したので、連結具を構成する棒状のほぞは、スリットで弾性を持ち、ほぞ受け筒への係脱が円滑になる。また、ほぞの係止用膨出部がほぞ受け筒の内壁部の係止溝に弾性をもって係合するので、係合時のクリック感が得られ、無理な係脱をする必要がなく、誰にでも簡単にかつ確実に係脱できる。
【００１０】
請求項４記載の考案によれば、複数枚の畳を互いに密接して方形に配置した簡易和室用畳の全外周縁にあてがって固定するための弾性を有する４本の枠部材と、これらの枠部材を互いに順次連結する連結具とを具備し、前記連結具は、互いに連結される一方の枠部材の連結面に、先端突出部を枠部材と一体に外方へ突出させて形成した棒状のほぞと、他方の枠部材の連結面に穿設され前記ほぞの先端突出部を係脱自在に嵌合連結するほぞ穴とからなり、前記ほぞは、先端近くの外周に係止用膨出部を形成するとともに、先端から先端突出部の途中までスリットを形成し、前記ほぞ穴の内壁部に前記ほぞの嵌合時に係止用膨出部と弾性をもって係合する係止溝を形成したので、枠部材をプラスチックやアルミニウムで成型するときにほぞとほぞ穴とを同時に形成でき、安価に提供することができる。
【００１１】
請求項５記載の考案によれば、４本の枠部材のうちのいずれかの枠部材を長さ方向に複数本に分割し、分割された端面間をヒンジで屈折可能に連結したので、枠部材を連結する連結具を二つ折りするものと係脱可能に連結するものとによって連結でき、組み立てと分解が容易で、また、運搬時の収納が畳１枚分の広さで済み、取り扱いが容易である。
【００１２】
請求項６記載の考案によれば、簡易和室用畳は、縦と横の長さの等しい畳を複数枚組み合わせて互いに密接して方形に配置し、この簡易和室用畳の全周囲を固定するようにしたので、４枚の畳をイ草の向きや縁布の位置によって、縦方向のみ、横方向のみ、縦と横の組み合わせた市松模様など容易に趣を変えることができる。
【００１３】
請求項７記載の考案によれば、簡易和室用畳は、縦と横の長さの等しい畳と縦と横の長さの異なる畳とを複数枚組み合わせて互いに密接して方形に配置し、この簡易和室用畳の全周囲を固定するようにしたので、畳の並べ方の種類をより多く設定することができる。
【考案を実施するための最良の形態】
【００１４】
本考案は、複数枚の畳を互いに密接して方形に配置した簡易和室用畳の全外周縁にあてがって固定するための４本の枠部材と、これらの枠部材を互いに順次連結する連結具とを具備する。
前記連結具は、互いに連結される一方の枠部材の連結面に穿設されたほぞ取付け穴に基端部を圧入固着し、先端部を外方へ突出させた棒状のほぞと、他方の枠部材の連結面に穿設されたほぞ穴の内部に固着され、前記ほぞの先端突出部を係脱自在に嵌合連結するほぞ受け筒とからなる。
前記ほぞは、ナイロンなどの弾性材料からなり、先端近くの外周に係止用膨出部を形成するとともに、先端から先端突出部の途中までスリットを形成し、前記ほぞ受け筒の内壁部に前記ほぞの嵌合時に係止用膨出部と弾性をもって係合する係止溝を形成する。
【００１５】
連結具を構成するほぞは、枠部材と別体に構成するだけでなく、枠部材をプラスチックやアルミニウムなどで成型するときに一体に構成するようにしてもよい。
連結具は、互いに連結される２個の前記枠部材の一方端部を二つ折りに連結し、互いに連結される２個の前記枠部材の他方端部を連結具により係脱自在に枠組みして畳枠とするものであってもよい。
【実施例１】
【００１６】
図１において、１０は、正方形の畳で、一辺の長さは、８２ｃｍ，８８ｃｍ，１００ｃｍの３種類とし、また、厚さは、１５〜３０ｍｍ程度とする。これらの長さと厚さは、使用目的により上記以外とすることもできる。
この畳１０は、図５に示すように、畳床１２の表面を畳表１３で覆い、この畳表１３の一辺には、縁布１４が巻き付け固定され、他の三辺は、畳表１３を畳床１２の裏まで巻き込んで縫い付け固定する。
前記畳床１２は、藁を使用したものでもよいが、軽量化、害虫防止、長期弾力性保持などのために、発泡体、しゅろ繊維、インシュレーションマット、多孔質ゴムマットなどの単独又は組合せとすることができる。
このように構成された畳１０は、４枚を正方形に並べて配置し、外周に本考案の畳枠１１を配置して固定される。
【００１７】
さらに詳しくは、図１において、前記畳枠１１は、その全周に４本の枠部材１５を配置して、互いに連結具１７で係脱自在に連結する。この枠部材１５は、桐材などの木材を用いてもよいし、プラスチック、アルミニウムなどであってもよい。この枠部材１５の幅は、４０ｍｍ、６０ｍｍ、１２０ｍｍなど、敷き詰める畳１０の枚数、厚さ、使用目的などによって適宜決定される。長さは、敷き詰めた畳１０の幅に枠部材１５の幅分のコーナー枠部１６を加えた長さとする。また、枠部材１５の下面には、厚さ２ｍｍ程度の滑り止め材２７を貼着することもでき、その場合は、枠部材１５に滑り止め材２７を加えた全体の厚さが畳１０の厚さと一致するように設定される。
前記枠部材１５のコーナー枠部１６は、角部に丸みをもたせ、また、枠部材１５とコーナー枠部１６の上面の外周縁部分は、つまずき防止のためやや丸みをもった傾斜面２５とする。また、これら枠部材１５とコーナー枠部１６の下面に貼着された前記滑り止め材２７は、軟質ゴムなどの滑り止め作用と弾力性を持ち合わせた材料が用いられる。
【００１８】
前記４本の枠部材１５は、互いに接する面で連結具１７により係脱自在に連結されて畳枠１１が構成される。
前記連結具１７は、図２乃至図４に示すように、枠部材１５の連結面に２個のほぞ取付け穴３４を一定間隔で水平に穿設し、また、この枠部材１５に連結しようとする他の枠部材１５におけるコーナー枠部１６の内側面の対応する連結面に２個のほぞ取付け穴３４を水平に穿設する。枠部材１５の端面側のほぞ取付け穴３４には、連結具１７を構成するほぞ２９の基端部が接着剤３７をもって圧入固着される。また、コーナー枠部１６の連結面のほぞ取付け穴３４には、前記ほぞ２９を嵌合するためのほぞ受け筒３５が接着剤３７をもって圧入固着される。前記ほぞ２９とほぞ受け筒３５は、弾力性があり、折れにくいナイロンその他のプラスチック材料で構成されるが、アルミニウムなどの金属製、木製などであってもよい。
前記ほぞ２９は、円形棒状をなし、先端には、挿入を案内する先端テーパー部３３が形成され、この先端の先端テーパー部３３からやや距離をおいて外周に係止用膨出部３１が形成され、さらに、突出部分の先端から根元に近い部分までスリット３２が形成されている。前記ほぞ受け筒３５は、前記ほぞ２９を圧入できる大きさで、内部には、前記係止用膨出部３１を係止する係止溝３６が形成されている。
【００１９】
以上のように構成された畳枠１１を用いて簡易和室とするときの組み立て順序を説明する。
図１において、４枚の畳１０は、正方形の状態に並べる。この並べ方は、図１の例では、イ草の方向がすべて一方向（縦方向）を向き、かつ、縁布１４が上下に位置するようにした。この４枚の畳１０の外側周縁部に、本考案の４本の畳枠１１をあてがって４個所の連結具１７で順次連結する。この連結具１７は、枠部材１５の端面側のほぞ２９を対峙する枠部材１５のコーナー枠部１６に取り付けたほぞ受け筒３５に圧入する。ほぞ２９は、先端テーパー部３３で案内されてほぞ受け筒３５に挿入され、係止用膨出部３１がほぞ受け筒３５の入口に当接するが、ほぞ２９の先端がスリット３２を狭めるように湾曲しながら圧入される。さらに圧入すると、一方の枠部材１５の連結面とコーナー枠部１６の連結面とが当接すると共に、ほぞ２９の係止用膨出部３１がほぞ受け筒３５の係止溝３６に係止して固定的に連結される。他の３個所の連結具１７でも同様に順次連結して４枚の畳１０の全外周縁側からしっかりと支えて簡易和室が形成される。
簡易和室を分解するときには、ほぞ２９をほぞ受け筒３５から抜き取って、各枠部材１５に分解し、４枚の畳１０とともに、収納箱に収納して運搬し、保管する。
【００２０】
図２に示す実施例では、２本のほぞ２９の太さを同一としたが、枠部材１５の幅が広いときには、外側のほぞ２９の太さを内側よりやや太くしてしっかりと固定するようにしてもよい。また、枠部材１５の幅に応じてほぞ２９の本数を３本以上とすることもできる。
【００２１】
連結具１７を構成するほぞ２９は、図４（ａ）に示すように、円形棒状とし、ほぞ受け筒３５は、ほぞ２９と嵌合するように円筒形としたが、図４（ｂ）に示すように、ほぞ２９は、３角、４角、５角、６角等の角柱状とし、ほぞ受け筒３５は、これと嵌合するように角筒形とすることもできる。
【００２２】
図１乃至図３に示した実施例では、一方の枠部材１５の端面とコーナー枠部１６の内側面とが当接するように、ほぞ２９とほぞ受け筒３５嵌合して固定的に連結したが、これに限られるものではない。
図６に示すように、枠部材１５における両端面を４５度に切断して４本の枠部材１５を連結具１７により額縁のように連結することもできる。
図１及び図６では、４本の枠部材１５を同一形状としたので、製造が単一化できると共に、組立位置の間違いもない。しかし、これに限られるものではなく、一方の枠部材１５の両端部を直角に切断してコーナー枠部１６を形成せず、他方の枠部材１５の両端部にコーナー枠部１６を形成して、コーナー枠部１６のない一方の枠部材１５を、コーナー枠部１６を有する他方の枠部材１５で両側から挟みつけるように連結してもよい。
【００２３】
前記枠部材１５は、図１及び図６の例では、その長さが畳１０の２倍としたが、図７に示すように畳１０と同じ長さの２本とし、途中の下面をヒンジ１９で屈曲自在に連結するようにしてもよい。このヒンジ１９は、図８（ａ）に示すように、軸２０を支点として屈曲する蝶番型としたり、図８（ｂ）に示すように、Ｖ字溝２６を有する屈曲可能な合成樹脂等からなる屈曲板型とすることができる。これらの例では、互いに連結された枠部材１５は、不使用時の収納・運搬時に二つ折り可能となり、梱包や運搬の利便性にすぐれている。
【００２４】
４枚の畳１０の正方形の配置は、図１の例に限られるものではなく、図９（ａ）〜（ｉ）のように種々配列することができる。
具体的には、上左をＡ、上右をＢ、下左をＣ、下右をＤとしたとき、（ａ）は、図中、Ａ，Ｂの畳表１３を縦向きで、Ｃ，Ｄの畳表１３を横向きで、かつ、縁布１４を全て外側に位置させた例である。
（ｂ）は、Ａ，Ｂ，Ｃ，Ｄの畳表１３を縦・横・横・縦と市松模様で、かつ、縁布１４を全て外側に位置させた例である。
（ｃ）は、Ａ，Ｂ，Ｃ，Ｄの畳表１３を縦・横・縦・横とし、かつ、縁布１４を外、外、内、外に位置させた例である。
（ｄ）は、Ａ，Ｂ，Ｃ，Ｄの畳表１３を横・横・縦・縦とし、かつ、縁布１４を全て内側に位置させた例である。
（ｅ）は、Ａ，Ｂ，Ｃ，Ｄの畳表１３を全て立て縦向きとし、かつ、縁布１４を全て内側に位置させた例である。
（ｆ）は、Ａ，Ｂ，Ｃ，Ｄの畳表１３を全て立て縦向きとし、かつ、縁布１４を外、内、内、外に位置させた例である。
（ｇ）は、Ａ，Ｂ，Ｃ，Ｄの畳表１３を縦・横・縦・縦とし、かつ、縁布１４を全て外側に位置させた例である。
（ｈ）は、Ａ，Ｂ，Ｃ，Ｄの畳表１３を縦・横・横・縦と市松模様で、かつ、縁布１４を中央に十文字に位置させた例である。
（ｉ）は、Ａ，Ｂ，Ｃ，Ｄの畳表１３を全て横向きとし、かつ、縁布１４を縦方向の外側と内側に位置させた例である。
４枚の畳１０の配置は、これらの例に限られるものではなく、適宜変更することができる。
【００２５】
前記実施例では、正方形の畳１０を４枚並べて正方形とした場合を例示したが、本考案はこれに限られるものではなく、正方形の９枚の畳１０を正方形に並べ、かつ、枠部材１５を付加することで、広さの異なる簡易和室とするなど、使用目的に応じて適宜配置することができる。
【００２６】
前記実施例では、畳１０が正方形である場合を例示したが、本考案はこれに限られるものではなく、図１０に示すように、縦・横の長さの比が２倍の長方形畳１０ｂを３枚使用してもよいし、また、図１１に示すように、縦・横の長さの比が２倍の長方形畳１０ｂを４枚と、正方形の畳１０ａを１枚使用して組み合わせてもよく、使用目的に応じて適宜配置することができる。さらに、４枚の正方形の畳１０は、正方形の配置に限られるものではなく、図１２に示すように横１列に並べた長方形に配置することができる。
これら図１０乃至図１２において、畳枠１１の構成は、図１、図６、図７の例に従がい適宜採用することができる。
【００２７】
前記実施例では、畳１０の縁布１４は、イ草の切り口側の一辺のみ巻き付け固定したが、本考案は、これに限られるものではなく、イ草の切り口側の二辺に巻き付け固定するようにしても良い。
【図面の簡単な説明】
【００２８】
【図１】本考案による簡易和室用畳枠の一実施例を示す平面図である。
【図２】図１の一部切り欠いた部分拡大平面図である。
【図３】図２のＡ―Ａ線断面図である。
【図４】（ａ）（ｂ）は、それぞれほぞの異なる例を示す斜視図である。
【図５】図１にて使用される畳の断面図である。
【図６】畳枠の連結面の異なる例の正面図である。
【図７】畳枠を二つ折りする例の正面図である。
【図８】（ａ）（ｂ）は、それぞれ二つ折り用ヒンジの異なる例を示す断面図である。
【図９】（ａ）〜（ｉ）は、それぞれ４枚の畳の異なる配置例を示す平面図である。
【図１０】縦と横の長さの比が２倍の畳を配置した例を示す平面図である。
【図１１】縦と横の長さの比が２倍の畳と、縦と横の長さが等しい畳とを組み合わせて配置した例を示す平面図である。
【図１２】正方形の畳４枚を長方形に配置した例を示す平面図である。
【符号の説明】
【００２９】
１０…畳、１１…畳枠、１２…畳床、１３…畳表、１４…縁布、１５…枠部材、１６…コーナー枠部、１７…連結具、１９…ヒンジ、２０…軸、２５…傾斜面、２６…Ｖ字溝、２７…滑り止め材、２９…ほぞ、３０…ほぞ穴、３１…係止用膨出部、３２…スリット、３３…先端テーパー部、３４…ほぞ取付け穴、３５…ほぞ受け筒、３６…係止溝、３７…接着剤。
【図１】
0003116202.tif 000003
【図２】
0003116202.tif 000004
【図３】
0003116202.tif 000005
【図４】
0003116202.tif 000006
【図５】
0003116202.tif 000007
【図６】
0003116202.tif 000008
【図７】
0003116202.tif 000009
【図８】
0003116202.tif 000010
【図９】
0003116202.tif 000011
【図１０】
0003116202.tif 000012
【図１１】
0003116202.tif 000013
【図１２】
0003116202.tif 000014